(57)【特許請求の範囲】
【請求項１】
ノズル開口からインク滴を吐出させるインク滴吐出用駆動信号と、ノズル開口からインク滴が吐出しない程度にメニスカスを、それぞれ異なる強度により振動させる複数の微小振動誘起用駆動信号を発生する駆動信号発生手段と、
外部装置から印刷データが入力した時点で印刷モードを判定し、前記印刷モードに対応して前記複数の微小振動誘起用駆動信号のいずれか１つを選択し、全ての圧力発生手段に１印字周期内の所定のタイミングで印加する制御手段とを備えてなるインクジェット記録装置。
【請求項２】
前記印刷モードが、記録用紙の種類である請求項１に記載のインクジェット記録装置。
【請求項３】
前記印刷モードが、インク滴吐出用駆動信号により形成するドットのサイズである請求項１に記載のインクジェット記録装置。
【請求項４】
前記印刷モードが、発色性の高いインクの使用量である請求項１に記載のインクジェット記録装置。
【請求項５】
前記印刷モードが、印刷に使用する色数である請求項１に記載のインクジェット記録装置。
【請求項６】
前記印刷モードが、印刷密度である請求項１に記載のインクジェット記録装置。
【発明の詳細な説明】
【０００１】
【発明の属する技術の分野】
本発明は、インクジェット記録ヘッドを用いた記録装置のノズル開口の目詰まり防止技術に関する。
【０００２】
【従来の技術】
インクジェット記録ヘッドは、複数のノズル開口と、各ノズル開口に連通する圧力発生室とを備え、印刷信号に対応して圧力発生室を膨張、収縮させてインク滴を発生させる関係上、インク滴を吐出するノズル開口には新しいインクが順次供給されるため、目詰まりの虞がほとんどないものの、例えば上下端等のノズル開口のようにインク滴吐出の機会が極めて低いものは目詰まりを生じやすい。
【０００３】
このため、印刷動作を一定時間継続した場合には、記録ヘッドを非印刷領域のキャッピング手段まで待避させ、ここで圧電振動子に駆動信号を印加してキャップに向かってすべてのノズル開口からインク滴を吐出させる、いわゆるフラッシング動作の他に、印刷期間中に所定の周期でインク滴を吐出しない程度の微小な駆動信号を印加してノズル開口のメニスカスを振動させることが行われている。
【０００４】
【発明が解決しようとする課題】
しかしながら、フルカラー印刷に対応したインクジェット記録装置にあっては、黒、シアン、マゼンタ、イエロ、さらには濃色系、及び淡色系のものが使用され、各インクの組成が微妙に異なるため、メニスカスの微小振動により却って目詰まりに至るまでの時間を速めたり、また微小振動誘起用駆動信号はインク滴吐出用駆動信号間に印加する必要上、印刷のスループットを低下させる等の問題がある。
本発明はこのような問題に鑑みてなされたものであって、その目的とするところは印刷品質を重視した印刷と、印刷速度を重視した印刷とを適宜選択することができインクジェット記録装置を提供することである。
【０００５】
【課題を解決するための手段】
このような問題を解消するために、ノズル開口からインク滴を吐出させるインク滴吐出用駆動信号と、ノズル開口からインク滴が吐出しない程度にメニスカスを、それぞれ異なる強度により振動させる複数の微小振動誘起用駆動信号を発生する駆動信号発生手段と、
外部装置から印刷データが入力した時点で印刷モードを判定し、前記印刷モードに対応して前記複数の微小振動誘起用駆動信号のいずれか１つを選択し、全ての圧力発生手段に１印字周期内の所定のタイミングで印加する制御手段とを備えてなるようにした。
【０００６】
【作用】
記録用紙に形成されたドットの目立ち易すさに応じてメニスカスの微小振動の強さを選択することにより、印刷品質を重視した印刷と、印刷速度を重視した印刷とを適宜選択することができる。
【０００７】
【発明の実施の形態】
そこで以下に本発明の詳細を図示した実施例に基づいて説明する。
図１は、本発明のプリンタの印刷機構周辺の構造を示すものであって、キャリッジ１は、タイミングベルト２を介してパルスモータ３に接続されていて、ガイド部材４に案内されて記録用紙５の紙幅方向に往復動するように構成されている。
【０００８】
キャリッジ１の記録用紙５と対向する面には、圧電振動子や発熱素子により圧力発生室を加圧してブラック、イエロ、マゼンタ、シアンのインク滴をノズル開口から吐出するインクジェット記録ヘッド６が設けられ、インクタンク、この実施例では上面に着脱可能に設けられたインクカートリッジ７から各色のインクが供給される。
【０００９】
非印字領域には休止中に記録ヘッド６のノズル開口を封止する一方、印刷動作中に行なわれるフラッシング動作による記録ヘッド６からのインク滴を受けるキャッピング装置８が設けられている。
【００１０】
図２は、上述の記録ヘッド６を駆動する制御装置の一実施例を示すもので、制御手段１０は、ホストからの印刷指令信号や印刷データを受けて後述する駆動信号発生回路１１、ヘッド駆動回路１２、及びキャリッジ駆動回路１３を制御して記録ヘッドからインク滴を吐出させて印刷動作を実行させるとともに、微小振動記憶手段１４のデータに基づいてメニスカスに少なくとも強弱２種類で微小振動させるものである。
【００１１】
駆動信号発生回路１１は、記録ヘッド６からインク滴を吐出させるのに必要な電圧値Ｖ１の台形状のインク滴吐出用の駆動信号（図３（イ））と、メニスカスを微小振動させる微小振動誘起用駆動信号（図３（ロ）、（ハ））を発生するものである。
【００１２】
微小振動誘起用駆動信号は、図３（ロ）、（ハ）に示すごとく、基本的にはインク滴吐出用駆動信号（イ）と同様に台形状の信号として構成されているものの、インク滴を吐出させない程度の振動を誘起させるために電圧値Ｖ２、Ｖ３や勾配α’、α”が低く抑えられている。これらの電圧値Ｖ２、Ｖ３、勾配α’、α”は、微小振動記憶手段１４に格納されていて、制御手段１０がこのデータを参照して駆動信号発生回路１１を制御することにより調整される。
【００１３】
つぎにこのように構成された装置の動作を、ノズル開口の目詰まり具合が印刷品質に大きく影響を与えるカラー印刷に例を採って説明する。
外部装置から印刷データが入力すると、制御手段１０は、印刷データの種類を判定し、
▲１▼印刷用紙の種類、つまり普通紙か、カラー印刷用紙か
▲２▼印刷に使用するドット径の大小
を判定する。
印刷モードの判定が終了してカラー印刷が開始されると、制御手段１０は、印刷用紙とドット径により、強弱いずれかのメニスカスの微小振動を選択、設定する。
すなわち、少なくともカラー印刷用紙が選択されていたり、大きな径のドットにより印刷するモードが選択されていて、個々のドットが目立ちやすい場合には、振幅の大きな微小振動をメニスカスに生じさせるように微小振動誘起用駆動信号を選択する。
【００１４】
この状態で印刷データが入力すると、駆動信号発生回路１１により生成されたインク滴吐出用駆動信号Ｓ１が、ヘッド駆動回路１２を介して記録ヘッド６に出力され、記録ヘッド駆動回路１２によりオンとされたスイッチング素子Ｓを介して圧力発生素子Ｐに印加され、記録ヘッド６からインク滴が吐出する。
【００１５】
そして図４に示したように次の印刷タイミングとの間に、制御手段１０は、駆動信号発生回路１１からメニスカスに強い微小振動を生じさせる微小振動誘起用駆動信号Ｓ２を出力し、スイッチング素子Ｓを介して記録ヘッド６の全ての圧力発生素子Ｐに印加する。これにより、記録ヘッド６の全てのノズル開口のメニスカスが大きく振動するため、ノズル開口近傍の増粘したインクが圧力発生室の増粘していないインクと置換されて目詰が未然に防止される。
【００１６】
したがって、次の印刷周期が到来した時点では増粘や目詰まりを来していないノズル開口からインク滴を吐出することができて、比較的目立ちやすいドットを、正確なサイズと、正確な位置に印刷して印刷品質の低下を防止することができる。
【００１７】
一方、普通紙や、また小さな径のドットによる印刷するモードが選択されていて、個々のドットが比較的目立たない場合には、制御手段１０は、振幅の小さな微小振動をメニスカスに生じさせるモードを選択、設定する。
【００１８】
これにより、ノズル開口での若干の目詰まりに関わりなく印刷を継続させて記録用紙全体としての印刷品質に低下を招くことなく、また微小振動によるメニスカスの残留振動の短縮により、インク滴吐出用駆動信号を短い周期で出力して高速印刷を実行することができる。
【００１９】
なお、上述の実施例においては記録媒体の種類、または印刷に使用するドット径によりメニスカスの振動の強度を選択しているが、ドットの位置ずれやサイズのばらつきが目立つ要因、たとえばインクの発色性、キャリッジ１の移動速度、印刷密度の高低に合わせてメニスカスの振動強度や振幅を選択することもできる。
【００２０】
つまり、１印字パス内に比較的発色性の高いインク、例えばシアンやマゼンタによるドットが多く形成される印刷データが入力した場合、またインク滴の飛行速度の低下が大きなドットずれを引き起しやすいキャリッジの高速移動での高速印刷モードが選択されている場合、さらには印刷データに含まれる色数が少ない場合や、ベタ画像のように高密度印刷の場合には、やはり個々のドットが目に付きやすいから、メニスカスに強い微小振動を与え、インク滴を確実に吐出させるようにする。
【００２１】
なお、上述の実施例においてはメニスカスの振幅を変えることにより振動の強弱を調整しているが、図４に示したように微小振動誘起後、次にインク滴を吐出するまでの時間ΔＴを調整することによってもメニスカスによるノズル開口の目詰まり解消効果を実質的に調整することができる。すなわち、微小振動誘起直後にはノズル開口の目詰まりが確実に解消されており、時間ΔＴが長くなるにつれてノズル開口のインクの粘度が上昇し出す。
【００２２】
【発明の効果】
以上、説明したように本発明によれば、記録用紙の種類や、ドットのサイズ、インクの発色度、印刷密度に対応してメニスカスを最適な状態で微小振動させることができ、印刷品質を重視した印刷と、印刷速度を重視した印刷とを適宜選択することができる。
【図面の簡単な説明】
【図１】本発明が適用されるインクジェット記録装置の一実施例を示す図である。
【図２】本発明の一実施例を示す装置のブロック図である。
【図３】図（イ）乃至（ハ）は、それぞれ圧力発生手段に印加する駆動信号を示す波形図である。
【図４】メニスカスの微小振動誘起用駆動信号とインク滴吐出用駆動信号との関係を示すタイミング図である。
【符号の説明】
１  キャリッジ
５  記録用紙
６  インクジェット記録ヘッド
７  インクカートリッジ
【図１】
0003741186.tif 000002
【図２】
0003741186.tif 000003
【図３】
0003741186.tif 000004
【図４】
0003741186.tif 000005